(57)【要約】【課題】異物の挿入による感電の懸念を回避でき、また、低コスト化を図った液晶テレビ受信装置などの電子機器を提供する。【解決手段】液晶テレビ受信装置１に、高電圧の印加される１次活電部１０を実装した電源基板３と、デジタルチューナ１５を実装したチューナ用基板１２と、外部機器などと接続するための端子部５を有するオーディオビデオジャック本体４とを備え、キャビネット２の外側に露出するように端子部５を配置する。１次活電部１０とオーディオビデオジャック本体４との間にチューナ用基板１２を設ける。チューナ用基板１２を異物の挿入を防止するための部品として兼用するので、部品点数を少なくでき低コスト化を図ることができる。【選択図】図２
2008035309.tif 000002
【特許請求の範囲】
【請求項１】
１次活電部を実装した電源基板と、テレビ放送を受信するチューナと、このチューナを実装したチューナ用基板と、外部機器と接続するための端子部を有するオーディオビデオジャック本体とを備えた異物挿入防止構造を備えた電子機器であって、前記電子機器の外側に露出するように前記端子部を配置し、この端子部が配置されている側の反対側である前記オーディオビデオジャック本体の背面側に、前記１次活電部を配置し、この１次活電部と前記オーディオビデオジャック本体との間に、前記オーディオビデオジャック本体と平行になるように配置した前記チューナ用基板を設けたことを特徴とする異物挿入防止構造を備えた電子機器。
【請求項２】
前記チューナ用基板の高さ寸法と、前記電子機器の外形を形成するキャビネットの内側の高さ寸法とを、同一若しくはほぼ同じ高さにしたことを特徴とする請求項１記載の異物挿入防止構造を備えた電子機器。
【請求項３】
前記電子機器内の底面に沿って前記電源基板を水平に配置し、この電源基板に対して垂直になるように前記チューナ用基板を前記電源基板に固定し、この電源基板の上部に前記チューナを実装したことを特徴とする請求項２記載の異物挿入防止構造を備えた電子機器。
【請求項４】
請求項１〜３の何れか１項に記載の前記電子機器は、液晶テレビ受信装置であることを特徴とする。
【発明の詳細な説明】
【技術分野】
【０００１】
本発明は、テレビ放送を受信する液晶テレビ受信装置などの電子機器、特に機器内にチューナを実装したチューナ用基板備えた液晶テレビ受信装置などの電子機器に関する。
【背景技術】
【０００２】
近年、デジタル放送の普及に伴い、デジタル放送を受信するために、液晶テレビ受信装置や記録再生装置などの電子機器のほとんどには、デジタルチューナが備えられつつある。こうした電子機器には、一般的に電源１次側としての１次活電部を構成する電源基板（メイン基板）の他に、デジタル放送を受信し、この受信したデータの処理などを行うための回路を構成するデジタル基板が機器内に備えられている。
【０００３】
ところで、１次活電部は、高電圧が印加されるため、ユーザが直接若しくは間接的に触れると感電する懸念がある。そのため、機器の外観はキャビネットで覆われているものの、オーディオビジュアル機器などの電子機器においては、外部の電子機器と接続するための端子部が外部に露出して設けられており、例えば、子供などが、悪戯などにより電子機器の外側から端子部にクリップや針金などの導電性を有する異物を挿入した際には、この異物が１次活電部に接触してしまい感電する懸念がある。しかも、電子機器を含む種々の電機製品の安全に関する国際規格においては、クリップや針金等をセットのジャックから挿入して感電するといった危険性が無いようにしなければならないと規定している。
【０００４】
本願出願と同一出願人が出願した特許文献１には、電子機器内に端子部から異物が挿入されることを防止するため、端子部の後部に、端子部と一体的に設けたハウジングの後部に防壁部を取り付け、電子機器内に異物が挿入されることを防壁部で遮断する電子機器が開示されている。
【０００５】
また、特許文献２には、電源基板の一部をミシン目から分割した分割基板を、前記電源基板に嵌合させてピンジャックの後方に配置したバリヤー装置が開示されている。
【０００６】
【特許文献１】特開２００５−２８５６６２号公報
【特許文献２】実開平５−２３４６３号公報
【発明の開示】
【発明が解決しようとする課題】
【０００７】
しかし、前述した特許文献１においては、防壁部により電子機器内に異物が挿入されることを防止することはできるものの、ハウジングに防壁部を取り付ける作業工程が必要であることから、その取り付け作業に時間を費やしてしまう。
【０００８】
また、特許文献２においては、電源基板から分割した分割基板を１次活電部の保護のために利用するとあり、バリヤー基板により止められた１次活電部が電源基板に有すると記載されてはいるものの、１次活電部が電源基板の何れの位置に配置されているのかについて記載及び図示がされてはなく、必ずしも電源基板から割りとった分割基板を、電源基板に嵌合するだけで、１次活電部を保護することができるといった作用効果を奏するものではない。しかも、電源基板と分割基板との結合を、ジャンパー線の両端を前記電源基板と分割基板とに半田付けすることにより行なうことから、その半田付けによる結合作業に時間がかかってしまい、その作業の効率化を図ることは難しいと思われる。
【０００９】
本発明は上述した問題点を鑑みてなされたものであり、異物の挿入による感電の懸念を回避でき、また、低コスト化を図った液晶テレビ受信装置などの電子機器を提供することをその目的とする。
【課題を解決するための手段】
【００１０】
請求項１の発明の異物挿入防止構造を備えた電子機器は、１次活電部を実装した電源基板と、テレビ放送を受信するチューナと、このチューナを実装したチューナ用基板と、外部機器と接続するための端子部を有するオーディオビデオジャック本体とを備えた異物挿入防止構造を備えた電子機器であって、前記電子機器の外側に露出するように前記端子部を配置し、この端子部が配置されている側の反対側である前記オーディオビデオジャック本体の背面側に、前記１次活電部を配置し、この１次活電部と前記オーディオビデオジャック本体との間に、前記オーディオビデオジャック本体と平行になるように配置した前記チューナ用基板を設けたことを特徴とする。
【００１１】
上記構成により、電子機器の端子部から針金などの異物が挿入された際、その異物の先端側が、オーディオビデオジャック本体と平行に配置されたチューナ用基板に接触される。これにより、異物が高電圧の印加される１次活電部に接触することを防止することが可能となる。さらに、テレビ放送を受信するためのチューナを実装したチューナ用基板を、異物の挿入を防止するための部品として兼用するので、電子機器内の部品点数を少なくでき、低コスト化を図ることができる。
【００１２】
請求項２の発明の異物挿入防止構造を備えた電子機器は、請求項１において、前記チューナ用基板の高さ寸法と、前記電子機器の外形を形成するキャビネットの内側の高さ寸法とを、同一若しくはほぼ同じ高さにしたことを特徴とする。
【００１３】
上記構成により、電子機器の端子部から針金などの異物が挿入された際、その異物の先端側が、オーディオビデオジャック本体と平行に配置されたチューナ用基板に接触され、異物が高電圧の印加される１次活電部に接触することを防止することが可能であり、チューナ用基板は、キャビネット内側の高さ寸法と同一若しくはほぼ同じなので、端子部から挿入された異物が、例えば折り曲げられたりしたものであったとしても、キャビネットの内側の上部や下部の隙間などを介して１次活電部に異物が接触することを、確実に防止することが可能となる。
【００１４】
請求項３の発明の異物挿入防止構造を備えた電子機器は、請求項２において、前記電子機器内の底面に沿って前記電源基板を水平に配置し、この電源基板に対して垂直になるように前記チューナ用基板を前記電源基板に固定し、この電源基板の上部に前記チューナを実装したことを特徴とする。
【００１５】
上記構成により、キャビネットの内側上部はチューナとキャビネットの一部で２重構造となると共に、キャビネットの内側下部は電源基板とキャビネットの一部で２重構造となる。従って、キャビネットの上下に配置したチューナと電源基板の一部を、異物の挿入を防止する部品として兼用し、より一層確実に１次活電部に異物が接触されることを防止することが可能となる。
【００１６】
請求項４の発明の液晶テレビ受信装置は、請求項１〜３の何れか１項に記載の異物挿入防止構造を備えた電子機器であることを特徴とする。
【００１７】
上記構成により、異物の挿入による感電の懸念を回避できると共に、部品点数を少なくした液晶テレビ受信装置を提供することができる。
【発明の効果】
【００１８】
請求項１に係る異物挿入防止構造を備えた電子機器によれば、１次活電部を実装した電源基板と、テレビ放送を受信するチューナと、このチューナを実装したチューナ用基板と、外部機器と接続するための端子部を有するオーディオビデオジャック本体とを備えた異物挿入防止構造を備えた電子機器であって、前記電子機器の外側に露出するように前記端子部を配置し、この端子部が配置されている側の反対側である前記オーディオビデオジャック本体の背面側に、前記１次活電部を配置し、この１次活電部と前記オーディオビデオジャック本体との間に、前記オーディオビデオジャック本体と平行になるように配置した前記チューナ用基板を設けたので、電子機器の端子部から挿入された針金などの異物が高電圧の印加される１次活電部に接触することを防止することが可能となり、さらに、チューナ用基板を異物の挿入を防止するための部品として兼用することで、電子機器の部品点数を少なくすることが可能となり、コストを安価に抑えることができる。
【００１９】
請求項２に係る異物挿入防止構造を備えた電子機器によれば、請求項1記載の異物挿入防止構造を備えた電子機器において、前記チューナ用基板の高さ寸法と、前記電子機器の外形を形成するキャビネットの内側の高さ寸法とを、同一若しくはほぼ同じ高さにしたので、例えば、端子部から挿入された異物が、折り曲げられたりした種々の形状のものであったとしても、キャビネットの内側の上部や下部の隙間などから１次活電部に異物が接触することを、より確実に防止することが可能となる。
【００２０】
請求項３に係る異物挿入防止構造を備えた電子機器によれば、請求項２記載の異物挿入防止構造を備えた電子機器において、前記電子機器内の底面に沿って前記電源基板を水平に配置し、この電源基板に対して垂直になるように前記チューナ用基板を前記電源基板に固定し、この電源基板の上部に前記チューナを実装したものである。これにより、キャビネットの上下に配置したチューナと電源基板の一部を、異物の挿入を防止する部品として兼用し、より一層確実に１次活電部に異物が接触されることを抑えることが可能となる。
【００２１】
請求項４の発明の液晶テレビ受信装置によれば、請求項１〜３の何れか１項に記載の異物挿入防止構造を備えた電子機器であるので、異物の挿入による感電の懸念を回避できると共に、部品点数を少なくしコストを安価に抑えた液晶テレビ受信装置を提供することができる。
【発明を実施するための最良の形態】
【００２２】
以下、図１及び図２を参酌しながら、本発明を実施するための最良の形態としての実施例を以下に説明する。もちろん、本発明は、その発明の趣旨に反しない範囲で、実施例において説明した以外の構成のものに対しても容易に適用可能なことは説明を要するまでもない。
【００２３】
図１は本発明の一例における異物挿入防止構造を備えた電子機器たる液晶テレビ受信装置を上方から視た状態を示す断面図、図２は液晶テレビ受信装置を側面から視た状態を示す断面図である。
【００２４】
液晶テレビ受信装置１の外形を形成するキャビネット２の内側底面側には、底面２Ａに沿って水平に平板状のメイン基板たる電源基板３が図示しない螺子などで固定されている。
【００２５】
電源基板３及びキャビネット２の後部の電源基板上には、直方体のオーディオビデオジャック本体４が固定されている。このオーディオビデオジャック本体４は、内部に空間部を有し、キャビネット２の外側に露出するようにして円筒状の端子部５が複数設けられている。
【００２６】
また、オーディオビデオジャック本体４の端子部の設けられている側の反対側であるオーディオビデオジャック本体４の背面側（図２に示すオーディオビデオジャック本体４の左側）には、電源基板３上に高電圧の印加される１次活電部１０が実装されており、この１次活電部１０とオーディオビデオジャック本体４との間には、電源基板３に固定された固定用コネクタ１１を介して、平板状のチューナ用基板１２が固定されている。なお、チューナ用基板１２は、水平に配置された電源基板３に対して垂直になるようにこの電源基板３に固定され、前記オーディオビデオジャック本体４と平行に配置されている。
【００２７】
前記チューナ用基板１２には、デジタルテレビ放送を受信するためのデジタルチューナ１５が実装されている。このデジタルチューナ１５は、直方体のデジタルチューナ本体１６とテレビアンテナ入力端子１７から構成されており、、このテレビアンテナ入力端子１７に接続される図示しないケーブルを介してデジタルテレビ放送の信号が入力されるようになっており、デジタルチューナ本体１６はキャビネット２の内側の水平な上面２Ｂと平行になるように配置されている。
【００２８】
図２に示すように、チューナ用基板１２の高さ寸法は、キャビネット２の内側の高さ寸法とほぼ同じ高さにすることで、円筒状の端子部５の中空部５Ａから挿入された異物が、１次活電部に接触することをチューナ用基板１２で遮断できるように構成されている。チューナ用基板１２の高さ寸法は、キャビネット２の内側の高さ寸法とほぼ同じ高さになっており、且つチューナ用基板１２上部にデジタルチューナが実装されているので、デジタルチューナ１５はキャビネット２の内側の上面２Ｂ側に配置される。
【００２９】
以上のように、本実施例における電子機器たる液晶テレビ受信装置１によれば、高電圧の印加される１次活電部１０を実装した電源基板３と、デジタルテレビ放送を受信するデジタルチューナ１５と、このデジタルチューナ１５を実装したチューナ用基板１２と、外部機器などと接続するための端子部５を有するオーディオビデオジャック本体４とを備え、キャビネット２の外側、すなわち液晶テレビ受信装置１の外側に露出するように端子部５を配置し、この端子部５の配置されている側の反対側である前記オーディオビデオジャック本体４の背面側に、前記１次活電部１０を配置し、１次活電部１０とオーディオビデオジャック本体４との間であって、オーディオビデオジャック本体４と平行になるように、チューナ用基板１２を電源基板３に固定して設けたので、液晶テレビ受信装置１の端子部５から針金などの異物が挿入され、その異物の先端側が、オーディオビデオジャック本体４の空間部を介して、オーディオビデオジャック本体４と平行に配置されたチューナ用基板１２に接触されるので、異物が高電圧の印加される１次活電部１０に接触してしまい、感電などの不測の事態が起こることを未然に回避することが可能となる。さらに、デジタルチューナを実装したデジタルテレビ放送を受信するための回路を構成するチューナ用基板１２を、異物の挿入を防止するための部品として兼用するので、液晶テレビ受信装置１内の部品点数を少なくでき、且つ部品点数が少なくなることで、その取り付け作業工程も短時間で行なうことが可能となり、ひいては、液晶テレビ受信装置１の低コスト化を図ることができる。
【００３０】
さらに、チューナ用基板１２の高さ寸法と、液晶テレビ受信装置１の外形を形成するキャビネット２の内側の高さ寸法とを、同一若しくはほぼ同じ高さにしたものである。これにより、端子部５の中空部５Ａからキャビネット２内に針金などの異物が挿入された際、その異物の先端側が、オーディオビデオジャック本体４と平行に配置されたチューナ用基板１２に接触され、異物が高電圧の印加される１次活電部１０に接触することを防止することが可能であることに加え、チューナ用基板１２の高さ寸法はキャビネット２内側の高さ寸法とほぼ同じとしたので、挿入された異物が、例えば、折り曲げられたりしたものであり、さらにキャビネット２の内側の上部や下部に隙間などがあったとしても、この隙間などを介して１次活電部１０に異物が接触することがないよう、チューナ用基板１２で確実に遮断することが可能となる。なお、本実施例における前記ほぼ同じ高さとは、キャビネット２の内側の高さ寸法を１００％とすると、これに対し、チューナ用基板１２の高さ寸法比率を少なくとも７０％以上とする。
【００３１】
さらに、液晶テレビ受信装置１内とするキャビネット２内の底面２Ａに沿って電源基板３を水平に配置し、この電源基板３に対して垂直になるように、固定用コネクタ１１などによりチューナ用基板１２を電源基板３に固定し、この電源基板３の上部にデジタルチューナ１５を実装したので、キャビネット２の内側上部はデジタルチューナ１５とキャビネット２の一部で２重構造となると共に、キャビネット２の内側下部は電源基板３とキャビネット２の一部で２重構造となる。従って、キャビネット２の上下に配置したデジタルチューナ１５と電源基板３の一部をも、異物の挿入を防止する部品として兼用することで、より一層確実に１次活電部１０に異物が接触されることを遮断し防止することが可能となる。
【００３２】
以上、本発明の実施例について詳述したが、本発明は、前記実施例に限定されるものではなく、本発明の要旨の範囲内で種々の変形実施が可能である。例えば、本実施例では、チューナ用基板１２の高さ寸法は、キャビネット２の内側の高さ寸法とほぼ同じ高さとなっているが、チューナ用基板１２とキャビネット２の内側との高さ寸法を同じ高さとしてもよい。また、液晶テレビジョン受信装置に限定するものではなく、符号２〜１７の構成を備えた、記録媒体（ディスク）を記録再生可能な記録再生装置などであっても前述した作用効果を奏することは言うまでもない。
【図面の簡単な説明】
【００３３】
【図１】本発明の一例における異物挿入防止構造を備えた液晶テレビ受信装置を上方から視た状態を示す断面図である。
【図２】同上、図２は液晶テレビ受信装置を側面から視た状態を示す断面図である。
【符号の説明】
【００３４】
１  液晶テレビ受信装置（電子機器）
２Ａ  底面
３  電源基板
４  オーディオビデオジャック本体
５  端子部
１０  １次活電部
１２  チューナ用基板
１５  デジタルチューナ（チューナ）
【図１】
2008035309.tif 000003
【図２】
2008035309.tif 000004